(57)【要約】【課題】釣人が激しく釣り場を移動しても生地が損傷を受けることなく、且つ常に着心地の良いウェーダーの提供。【解決手段】ウェーダー１０は、トラウザー１１と防水靴１２とを備える。両者は、防水テープ１７により液密的に連結されている。トラウザー１１の下端部１６は、防水靴１２の上端部１５を囲繞するように配置されている。防水テープ１７の上縁部１８は防水靴１２の上縁部１９よりも上方に位置する。防水テープ１７は、天然ゴムからなる。【選択図】  図２
2004162225.tif 000002
【特許請求の範囲】
【請求項１】
防水生地からなるトラウザーと、トラウザーの下端部に連結された防水靴とを備え、
トラウザーの下端部が防水靴の上端部を囲繞するように配置され、且つ防水テープがトラウザーの下端部及び防水靴の上端部の双方を囲繞した状態で防水靴とトラウザーを構成する防水生地との間に架け渡すように貼り付けられており、
防水テープの上縁部は、防水靴の上縁部よりも上方に位置しているウェーダー。
【請求項２】
上記防水テープは、薄肉の天然ゴムからなるウェーダー。
【請求項３】
上記防水テープの上縁部と上記防水靴の上縁部との距離ａは、４．０ｍｍ〜１０．０ｍｍの範囲に設定されているウェーダー。
【発明の詳細な説明】
【０００１】
【発明の属する技術の分野】
この発明は、釣りの際に着用するウェーダーの構造に関するものである。
【０００２】
【従来の技術】
例えば、鮎釣りや渓流釣り、又は海岸でのシーバスフィッシング等のいわゆるショアフィッシング等では、釣人は、ウェーダーを着用する（例えば、特許文献１及び非特許文献１参照）。
図４は、一般的なウェーダーの正面図である。ウェーダー１は、防水生地からなるトラウザー２の先端にブーツ（若しくはシューズ）３が一体的に連結されており、釣人は、ウェーダ１に下半身を挿入することによって、浅瀬等に進入することができる。
図５は、ウェーダー１の拡大断面図であり、同図（ａ）は、トラウザー２とブーツ３との連結部分の外観を、同図（ｂ）は、当該連結部分の断面構造が図示されている。
同図が示すように、トラウザー２を構成する防水生地は、ブーツ３の壁面の外側に配置され、当該防水生地とブーツ３の壁面とを接合するべく、テープ４が両者間に架け渡すように貼り付けられている。
【０００３】
【特許文献１】
特開平１０−２３４４０３号公報
【非特許文献１】
株式会社シマノ  ２００２  Ｆｉｓｈｉｎｇ  Ｔａｃｋｌｅ  Ｃａｔａｌｏｇｕｅ（第１６５頁）
【０００４】
【発明が解決しようとする課題】
このテープ４は、ブーツ３に貼り付けられるが、テープ４は、その上縁５の位置がブーツ３の上縁６の位置と一致するか、あるいは若干ブーツ３の上縁６よりも下方となるように配置される。このため、上記上縁５と上記６との間に、所定寸法ｄだけ「ずれ」が生じることがある。
ところで、ウェーダー１は、ショアフィッシング等に使用されるものであるところ、釣人は釣り場を激しく移動する。そのため、トラウザー２を構成する防水生地は、ブーツ３の上縁６との境界位置で激しく屈曲される。一方、ブーツ３を構成する材料には、釣人が釣り場を激しく移動したとしても容易に損傷することのないように所要の強度が要求されるので、ブーツ３は、一定の硬度を備えたゴム等により構成される。
【０００５】
そのため、釣りの最中には、トラウザーを構成する防水生地は、上記上縁６との境界位置で繰り返し強く引っ張られ、場合によっては、破れてしまうおそれがある。
さらに、釣人が激しく釣り場を移動すると、釣人の脚と上記ブーツ３の上縁６とが繰り返し接触することになるが、ブーツ３が一定の硬度を備えたゴム等により構成されることから、釣人は、上記上縁６と接する部分に違和感を覚える場合もある。
そこで、本発明の目的は、釣人が激しく釣り場を移動しても常に着心地がよく、また、生地が損傷を受けることのないウェーダーを提供することである。
【０００６】
【課題を解決するための手段】
（１）  上記目的を達成するため、本願に係るウェーダーは、防水生地からなるトラウザーと、トラウザーの下端部に連結された防水靴とを備え、トラウザーの下端部が防水靴の上端部を囲繞するように配置され、且つ防水テープがトラウザーの下端部及び防水靴の上端部の双方を囲繞した状態で防水靴とトラウザーを構成する防水生地との間に架け渡すように貼り付けられており、防水テープの上縁部は、防水靴の上縁部よりも上方に位置していることを特徴とするものである。
【０００７】
この構成によれば、防水靴の外側にトラウザーを構成する防水生地が配置され、さらにその外側に防水テープが貼り付けられ、これにより、トラウザーと防水靴とが連結されている。
防水テープの上縁部が防水靴の上縁部よりも上方に位置するから、釣人が当該ウェーダーを着用して釣り場を移動した場合には、上記防水生地は防水テープの上縁部分において屈曲されることになるが、防水テープは比較的柔らかい材料から構成されるため、上記防水生地が激しく屈曲されたとしても、当該防水生地が損傷を受けることはない。
また、防水テープの上縁部が防水靴の上縁部よりも上方に位置するから、釣人が当該ウェーダーを着用して釣り場を移動（歩行）した場合には、釣人の脚は、防水テープと繰り返し接触することになる。しかし、防水テープは比較的柔らかい材料から構成されるため、釣人は脚に違和感を覚えることはない。
【０００８】
（２）  上記防水テープは、薄肉の天然ゴムから構成されるのが好ましい。
この場合では、防水テープが安価に構成されることに加え、防水テープが非常に柔らかいので、上記防水生地の損傷が効果的に抑制されると共に、当該ウェーダーは、釣人にとってきわめて着心地の良いものとなる。
また、上記防水テープの上縁部と上記防水靴の上縁部との距離ａは、４．０ｍｍ〜１０．０ｍｍの範囲に設定されているのが望ましい。
かかる寸法が設定されることにより、トラウザーと防水靴との確実な連結が実現されると共に、釣人が歩行する際に、防水テープが脚の広い範囲と接触することになるから、釣人にとって歩行の際の違和感はよりいっそう無くなる。
【０００９】
【発明の実施の形態】
以下、適宜図面が参照されつつ、好ましい実施形態に基づいて本発明が詳細に説明される。
【００１０】
図１は、本発明の一実施形態に係るウェーダー１０の正面図である。
このウェーダー１０は、例えば渓流釣り等に使用されるものであり、釣人がウェーディングする際に着用される。
ウェーダー１０は、トラウザー１１と防水靴１２とを備えている。
トラウザー１１は、例えばポリエステル等の防水生地からなる。当該防水生地は、予め設計された所定形状に裁断され、縫製されることにより、トラウザー１１が構成されている。トラウザー１１は、既知の立体形状に形成されており、釣人の両脚が挿通され、釣人の下半身を被うようになっている。トラウザー１１には、サスペンダー１３が設けられており、これにより、釣人は、常に快適にウェーダ１０を着用することができるようになっている。
【００１１】
また、防水靴１２は、一対設けられており、それぞれ左右対称に形成されている。防水靴１２は、例えば天然ゴム等のゴム等により構成されている。防水靴１２がかかる材料から構成されることにより、防水靴１２は所要の剛性並びに耐裂傷性を備え、釣人が釣り場を激しく歩行した場合であっても、容易に損傷を受けないようになっている。
なお、同図では明確に図示されていないが、防水靴１２の底面部にはソール部が形成されており、ソール部は、釣人が歩行する際に容易に滑ることのないように所要の滑止構造を備えている。
防水靴１２とトラウザー１１とは、後述の連結構造によって液密的に連結されている。
【００１２】
図２は、ウェーダー１０の要部拡大図であり、防水靴１２とトラウザー１１との連結部１４の斜視図である。また、図３は、防水靴１２とトラウザー１１との連結部１４の構造を模式的に図示したものである。
トラウザー１１の下端部１５は、防水靴１２の上端部１６に被せられている。すなわち、トラウザー１１の下端部１５及び防水靴１２の上端部１６は、それぞれ円筒状に形成されており、トラウザー１１の下端部１５は、防水靴１２の上端部１６を周方向に囲繞するように配置されている。
【００１３】
トラウザー１１の下端部１５と防水靴１２の上端部１６との重複部分を被覆するように防水テープ１７が配設されている。この防水テープ１７は、帯状に形成されており、上記重複部分を周方向に囲繞するように配置されている。防水テープ１７は、天然ゴムにより構成され、所要の接着剤等によりトラウザー１１の下端部１５と防水靴１２の上端部１６とに架け渡すように貼り付けられている。これにより、トラウザー１１の下端部１５と防水靴１２の上端部１６とは、強固に連結される。
【００１４】
また、防水テープ１７が上記材料からなるので、防水靴１２を構成する材料に比べて十分に柔らかい。加えて、防水テープ１７は、薄肉に形成され、その肉厚は、０．８ｍｍ〜１．５ｍｍの範囲で適宜設定され得る。これにより、防水テープ１７は、十分な可撓性を有することになる。
防水テープ１７は、図３が示すように、その上縁部１８が防水靴１２の上縁部１９よりも上方に位置するように配置されている。具体的には、防水テープ１７の上縁部１８は、防水靴１２の上縁部１９よりも寸法ａだけ上方に位置しており、この寸法ａは、４．０ｍｍ〜１０．０ｍｍの範囲で適宜設定される。
【００１５】
このウェーダー１０は、次のようにして使用される。
釣人は、両脚をトラウザー１１に挿入し、脚先を防水靴１２に挿入する。釣人は、サスペンダー１３の長さを適当に調整し、肩に掛ける。トラウザー１１は防水生地からなり、防水靴１２と液密的に連結されているから、釣人は、この状態でウェーディングが可能となる。
【００１６】
トラウザー１１と防水靴１２との連結部１４では、防水靴１２とトラウザー１１を構成する防水生地とが防水テープ１７によって連結されているが、防水テープ１７の上縁部１８が防水靴１２の上縁部１９よりも上方に位置するから、釣人がウェーダー１０を着用して釣り場を移動した場合には、上記防水生地は、防水テープの上縁部１８において屈曲されることになる。ところが、防水テープ１７が前述のように柔らかい材料から構成されるため、歩行によって上記防水生地が激しく屈曲されたとしても、この防水生地が破れたりすることはない。
【００１７】
また、防水テープ１７の上縁部１８が防水靴１２の上縁部１９よりも上方に位置するから、釣人がウェーダー１０を着用して釣り場を移動した場合には、釣人の脚は、防水テープ１７と繰り返し接触することになる。ところが、防水テープ１７が柔らかい材料から構成されるため、釣人は脚に違和感を覚えることはない。
【００１８】
加えて、トラウザー１１と防水靴１２との境界が、トラウザー１１と防水テープ１７との境界となり、しかも、防水テープ１７が防水靴１２を構成する材料よりも柔らかい材料であることから、トラウザー１１と防水靴１２との境界部分が目立つことなく、両者が滑らかに連続する。これにより、ウェーダー１０は、その外観がデザイン上優れたものとしてして構成され得る。
【００１９】
このように、本実施形態に係るウェーダー１０では、釣人が釣り場を激しく移動（歩行）したとしても、トラウザー１１を構成する防水生地が破れたり損傷を受けることはないと共に、歩行の際に、釣人が脚に痛み等を感じたりすることはなく、ウェーダー１０は、釣人にとって常に着心地の良いものとなる。
【００２０】
特に本実施形態に係るウェーダー１０では、防水テープ１７が前述のような材料により薄肉に形成されるから、防水テープ１７は可撓性に富む。したがって、歩行の際に防水テープ１７が繰り返し脚に接触したとしても、ウェーダー１０は、釣人にとって一層着心地のよいものとなる。
加えて、防水テープ１７が上記材料から構成されることにより、防水テープ１７が安価なものとなり、ウェーダー１０の製造コストが大幅に上昇することがないという利点もある。
【００２１】
【発明の効果】
以上のように本発明によれば、釣人がウェーダーを着用して釣り場を移動した場合には、ウェーダーのトラウザーを構成する防水生地が柔らかい材料からなる防水テープとの境界部分で屈曲されることから、釣人が釣り場を激しく移動したとしても当該防水生地が破れたり損傷を受けることはない。また、釣人が釣り場を移動する場合に、その歩行の際には、釣人の脚が防水テープと繰り返し接触することになるが、防水テープが柔らかい材料からなるため、釣人は脚に違和感を覚えることはなく、当該ウェーダーは、釣人にとって常に着心地の良いものとなる。
【図面の簡単な説明】
【図１】図１は、本発明の一実施形態に係るウェーダーの正面図である。
【図２】図２は、本発明の一実施形態に係るウェーダーの要部拡大斜視図である。
【図３】図３は、本発明の一実施形態に係るウェーダーの防水靴とトラウザーとの連結部の構造を示す模式図である。
【図４】図４は、従来の一般的なウェーダーの正面図である。
【図５】図５は、従来のウェーダーの拡大断面図であり、（ａ）は、トラウザーとブーツとの連結部分の外観を、（ｂ）は、当該連結部分の断面構造を図示している。
【符号の説明】
１０・・・ウェーダー
１１・・・トラウザー
１２・・・防水靴
１４・・・連結部
１５・・・トラウザーの下端部
１６・・・防水靴の上端部
１７・・・防水テープ
１８・・・防水テープの上縁部
１９・・・防水靴の上縁部
【図１】
2004162225.tif 000003
【図２】
2004162225.tif 000004
【図３】
2004162225.tif 000005
【図４】
2004162225.tif 000006
【図５】
2004162225.tif 000007